(57)【要約】【課題】ケーシングを封止しながらケーブルを配することが可能なポンプ装置を提供する。【解決手段】本発明の一形態に係るポンプ装置は、モータを収容するとともに、前記モータに接続されるケーブルを通すケーシング孔が形成された、ケーシングと、前記ケーブルを通すキャップ孔と、その外面から前記キャップ孔に至るキャップスリットと、が形成され、前記ケーシング孔に装着されるキャップ体を備えるキャップと、を備える。【選択図】図３
2019027368.tif 000002
【特許請求の範囲】
【請求項１】
モータを収容するとともに、前記モータに接続されるケーブルを通すケーシング孔が形成された、ケーシングと、
前記ケーブルを通すキャップ孔、及びその外面から前記キャップ孔に至るキャップスリットと、が形成され、前記ケーシング孔に装着されるキャップ体を備えるキャップと、
を備えるポンプ装置。
【請求項２】
前記キャップ体は、前記ケーシングの内方の寸法が小さくなるテーパ状の外周面を有し、
前記キャップは、前記ケーシング孔の外側に配され、前記キャップ体を前記ケーシングに向けて押圧して前記ケーシングに固定される押さえ部を備える、請求項１記載のポンプ装置。
【請求項３】
前記モータは水中モータであり、
前記ケーシングはモータに接続されたインペラを回転可能に収容する吸込ケーシングと、
前記吸込ケーシング上に配され前記モータを収容する管ケーシングと、
前記管ケーシング上に配される吐出ケーシングと、を備え、
前記ケーシング孔は前記吐出ケーシングに形成される、請求項１記載のポンプ装置。
【請求項４】
前記ケーシング孔は前記モータに接続される給電端子が挿通可能に構成された、請求項１記載のポンプ装置。
【請求項５】
前記キャップ体は、所定の挿入方向に連続して配される複数のキャップパーツを有して構成され、
前記ケーシング孔に挿入された装着状態において、複数の前記キャップパーツの前記キャップスリットが異なる位置に配される、請求項１記載のポンプ装置。
【請求項６】
前記キャップ体は、弾性材料で構成されるとともに、挿入方向の先端側が小さくなるテーパ状に構成され、
前記押さえ部は、前記キャップ孔と重なる位置に配され前記ケーブルが通るプレート孔と、前記プレート孔から外周縁に至るプレートスリットと、前記ケーシングに固定される固定部と、を有し、
前記プレート孔は、前記ケーブルの外径より大きく、
前記プレートスリットの幅は前記ケーブルの外径よりも大きい、
請求項２記載のポンプ装置。
【請求項７】
前記キャップ体は、前記ケーシングの外側に配される第２のケーブルを通す第２のキャップ孔と、前記第２のキャップ孔に至る第２のキャップスリットと、を有する、請求項１または２記載のポンプ装置。
【請求項８】
モータを収容するケーシングに形成されたケーシング孔を通るケーブルの外周に装着されたケーブルキャップであって、
弾性材料で構成されるとともに、挿入方向の先端側が小さくなるテーパ状に構成され、前記ケーブルが通るキャップ孔と、その外面から前記キャップ孔に至るキャップスリットと、を有し、前記ケーシング孔に挿入されるキャップ体と、
前記キャップ体の前記挿入方向後方に配され、前記ケーシングに固定される、押さえ部と、
を備えるケーブルキャップ。
【発明の詳細な説明】
【技術分野】
【０００１】
本発明は、ポンプ装置及びケーブルキャップに関する。
【背景技術】
【０００２】
ポンプ装置として、例えば、インペラ及びインペラに接続されるモータを、ケ−シングに収容する水中軸流ポンプが知られている。このような水中軸流ポンプでは、モータに電源接続用のケーブルが接続される。ケーブルの一端側はケーシング内においてモータの給電端子に接続される。ケーブルの他端側はケーシングに形成された孔部を通ってケーシングの外部に導出され、ポンプケーシングの外部において地上の電源に接続される。また、水中ポンプは排水槽などの底部に設置して使用するため、例えば１０〜５０ｍ程度の長尺なケーブルが使用される。
【先行技術文献】
【特許文献】
【０００３】
【特許文献１】特開平７−３３２２７６号公報
【発明の概要】
【発明が解決しようとする課題】
【０００４】
このようなポンプ装置において、ケーブルが通るケーシングの孔部において液漏れが生じる恐れがある。したがって、ケーシングを封止しながらケーブルを配することが可能なポンプ装置を提供することが望まれている。
【０００５】
そこで本発明は、ケーシングを封止しながらケーブルを配することが可能なポンプ装置を提供することを目的とする。
【課題を解決するための手段】
【０００６】
本発明の一形態に係るポンプ装置は、モータを収容するとともに、前記モータに接続されるケーブルを通すケーシング孔が形成された、ケーシングと、前記ケーブルを通すキャップ孔と、その外面から前記キャップ孔に至るキャップスリットと、が形成され、前記ケーシング孔に装着されるキャップ体を備えるキャップと、を備える。
【０００７】
本発明の他の一形態に係るケーブルキャップは、モータを収容するケーシングに形成されたケーシング孔を通るケーブルの外周に装着されたケーブルキャップであって、弾性材料で構成されるとともに、挿入方向の先端側が小さくなるテーパ状に構成され、前記ケーブルが通るキャップ孔と、その外面から前記キャップ孔に至るキャップスリットと、を有し、前記ケーシング孔に挿入されるキャップ体と、前記キャップ体の前記挿入方向後方に配され、前記ケーシングに固定される、押さえ部と、を備える。
【発明の効果】
【０００８】
本発明によれば、ケーシングを封止しながらケーブルを配することが可能なポンプ装置及びケーブルキャップを提供できる。
【図面の簡単な説明】
【０００９】
【図１】本発明の第１実施形態にかかるポンプ装置の構成を示す斜視図。
【図２】同ポンプ装置の構成を示す断面図。
【図３】同ポンプ装置のケーブルキャップの構成を示す斜視図。
【図４】同ケーブルキャップの構成を示す斜視図。
【図５】本発明の第２実施形態にかかるケーブルキャップの構成を示す斜視図。
【図６】同ケーブルキャップの分解斜視図。
【図７】本発明の他の実施形態にかかるケーブルキャップの構成を示す斜視図。
【図８】同実施形態にかかるケーブルキャップの構成を示す斜視図。
【図９】本発明の他の実施形態にかかるケーブルキャップの構成を示す斜視図。
【図１０】同実施形態にかかるケーブルキャップの構成を示す斜視図。
【発明を実施するための形態】
【００１０】
［第１実施形態］
以下、本発明の第１実施形態にかかるポンプ装置１０を、図１乃至図４を参照して説明する。図１は、第１実施形態にかかるポンプ装置１０の構成を一部切欠して示す斜視図であり、図２はポンプ装置１０の断面図である。図３及び図４は、ケーブルキャップの構成を示す斜視図である。
【００１１】
図１及び図２に示すポンプ装置１０は、水中軸流ポンプであり、井戸等の水中に配置されて用いられる。ポンプ装置１０は、水中モータ１１と、ポンプ１２と、ストレーナ１３と、を備える。
【００１２】
水中モータ１１は、液密に構成され、水中に配置可能に構成されたモータである。水中モータ１１は、モータケーシング２１と、モータケーシング２１内に設けられた固定子と、モータケーシング２１内に設けられた回転子と、回転子に固定された回転軸２２と、を備える。水中モータ１１には給電端子１１ａが設けられている。この給電端子１１ａに、電源ケーブル２３の一端が接続される。
【００１３】
ポンプ１２は、水中モータ１１を支持する吸込ケーシング３１と、吸込ケーシング３１の一端部に固定された管ケーシング３２、及び管ケーシング３２の他端部に固定された吐出ケーシング３３と、で構成されるポンプケーシング３０と、吸込ケーシング３１内に収容され、回転軸２２に固定されたインペラ３４と、を備えている。
【００１４】
吸込ケーシング３１は、円筒状に形成された円筒状部４１と、円筒状部４１の一端部に一体に形成された椀状の支持部４２と、を備えている。
【００１５】
円筒状部４１は、回転軸２２と同軸上に配置される。円筒状部４１は、その内部に回転軸２２に固定されたインペラ３４を収容する。円筒状部４１は、その一端部の開口が吐出口を構成し、その他端部が吸込口を構成する。
【００１６】
支持部４２は、その外周縁の一方側にストレーナ１３が、他方側に管ケーシング３２が固定される。また、支持部４２は、その中心に円筒状部４１の一端部の開口から管ケーシング３２内へ連続する流路を構成するとともに、水中モータ１１のモータケーシング２１を固定する固定部４２ａを有する。
【００１７】
管ケーシング３２は、円筒状に形成され、一端部が吸込ケーシング３１に、他端部が吐出ケーシング３３に、弾性材料などできたパッキン等の封止材を介してそれぞれ固定される。管ケーシング３２は、支持部４２に固定された水中モータ１１をその内部に収容する。
【００１８】
吐出ケーシング３３は、管ケーシング３２の他端部に固定される。吐出ケーシング３３は、水をポンプ装置の二次側に供給する配管を接続可能な円管状の吐出孔３３ａと、管ケーシング３２の他方側に連続して縮径して吐出孔３３ａに至る空間を形成する吐出ケース部３３ｂと、を備える。吐出ケース部３３ｂには、電源ケーブル２３が通過可能に形成されたケーシング孔３３ｃが形成されている。吐出ケース部３３ｂの、ケーシング孔３３ｃ縁部分は、肉厚に構成され、キャップの軸方向寸法と同等の厚みを有している。ケーシング孔３３ｃはキャップ体５１内側の径が小さくなるようにテーパ状に縮径している。
【００１９】
ケーシング孔３３ｃは、例えば水中モータ１１の給電端子１１ａの外形よりも大きく構成され、給電端子１１ａが挿通可能に構成されている。ケーシング孔３３ｃに、ケーブル２３を保持するケーブルキャップ５０が装着されることで、ケーブル２３がケーシング孔３３ｃを貫通して配されるとともに、ケーシング孔３３ｃがケーブルキャップ５０により液密に封止される。
【００２０】
インペラ３４は、円筒状に構成され、回転軸２２に固定されるボス部と、ボス部の外周面に設けられた複数の羽根と、複数の羽根の外周面に一体に設けられた円環状の壁部と、を備えている。複数の羽根は、例えば３枚設けられる。
【００２１】
ストレーナ１３は、有底円筒状に形成されるとともに、その外周面に多数の小孔１３ａが形成される。
【００２２】
電源ケーブル２３は、水中モータ１１の給電端子１１ａと電源とを電気的に接続する。すなわちケーブル２３の一端はポンプケーシング３０の内部において水中モータ１１の給電端子１１ａに接続されている。電源ケーブル２３は、ケーブルキャップ５０に保持され、ケーブルキャップ５０の孔部を通って、ケーシング孔３３ｃからポンプケーシング３０の外部に導出されている。電源ケーブル２３の他端は、ポンプ装置１０の外部において電源に接続される。
【００２３】
例えば、電源の端子は、圧着端子などを介して端子台などに接続される。このため、ケーブル２３の一端の接続部はケーブル２３の径と同等またはそれ以下の大きさとなる。一方で、ケーブル２３の他端はモータ１１と液密に接続する必要があるため、弾性体等で構成されるパッキン等を介し、さらに剛性のあるパッキン押さえによってモータ１１に固定される。したがって、ケーブル２３の他端の接続部は、ケーブル２３の径よりも大きく構成される。
【００２４】
図１乃至図４に示すように、ケーブルキャップ５０は、ケーシング孔３３ｃに装着されるキャップ体５１と、キャップ体５１の外側に配される押さえ部としての押圧プレート５２と、を備える。
【００２５】
キャップ体５１は、ゴム等の弾性部材で形成され、弾性変形可能に構成されている。キャップ体５１は円錐台状に構成され、ケーシング孔３３ｃへの挿入方向の先端側、すなわちポンプケーシング３０の内方側の径が小さくなるテーパ状の外周面を有している。キャップ体５１の一端部の径はケーシング孔３３ｃの内径よりも小さく、キャップ体５１の他端部の径はケーシング孔３３ｃよりも大きい。したがって、キャップ体５１はその先端側の部位が吐出ケーシング内に配され、所定位置においてケーシング孔３３ｃに嵌合し、挿入方向後方の基端側の部位が吐出ケーシング外に配される。
【００２６】
キャップ体５１には、電源ケーブル２３が通るキャップ孔５１ａと、キャップ孔５１ａから外周面に至るキャップスリット５１ｂと、が形成されている。
【００２７】
キャップ孔５１ａは、キャップ体５１の中心において、挿入方向、すなわち軸方向に沿ってキャップ体５１の全長に至って形成されている。
【００２８】
キャップ孔５１ａは、ケーブル２３を挿入可能、例えばケーブル２３と同径またはケーブル２３より大径に構成されている。キャップ孔５１ａは、キャップ体５１がケーシング孔３３に押し込まれて弾性変形して縮径することで、内周面がケーブル２３の外面に密着可能に構成されている。
【００２９】
キャップスリット５１ｂは、キャップ孔５１ａから径方向に沿って外方に延び、外面に至る切り込みである。キャップスリット５１ｂは軸方向全長に至って形成されている。
キャップスリット５１ｂの幅寸法は電源ケーブル２３の外径と同等、または電源ケーブル２３の径よりも小さく構成されている。キャップスリット５１ｂは、キャップ体５１がケーシング孔３３ｃに押し込まれて弾性変形することでキャップスリット５１ｂの対向する面が密着し、閉塞されるように構成されている。
【００３０】
押圧プレート５２は、例えば円板状に構成された剛性のあるプレートであり、電源ケーブル２３が通るプレート孔５２ａと、プレート孔５２ａから外周に至るプレートスリット５２ｂと、ねじ等の締結部材５５でケーシング３０に締結される固定部としての孔部５２ｃと、を有している。
【００３１】
プレート孔５２ａは、押圧プレート５２の中心に形成された貫通孔である。プレート孔５２ａはキャップ孔５１ａと重なる位置に配される。プレート孔５２ａは、電源ケーブル２３の外径より大きく構成されている。
【００３２】
プレートスリット５２ｂは、プレート孔５２ａから径方向に沿って外方に延び、外周縁に至る切り欠きである。プレートスリット５２ｂの幅寸法はケーブル２３の径よりも大きく構成されている。
【００３３】
締結孔５２ｃは、押圧プレート５２の、キャップ体５１に当接する領域よりも外周側の所定箇所に形成されている。本実施形態において押圧プレート５２の周方向の複数箇所に等間隔に４箇所の締結孔５２ｃが配設されている。
【００３４】
押圧プレート５２は、その外周部の締結部において締結部材５５によって吐出ケーシングに締結され、キャップ体５１の外側の端面を吐出ケーシング３３に向けて押圧する。
【００３５】
以上の様に構成されたポンプ装置１０において、水中モータ１１の給電端子１１ａはケーシング孔３３ｃを挿通可能に構成されている。したがって、ポンプを組み立てる際には、水中モータ１１の給電端子１１ａをケーシング孔３３ｃに通して組み立てることにより、水中モータのケーブルの地上と電源接続部すなわち給電端子の他端を通すことなく組立てが可能である。また、ケーブルキャップ５０の外面のキャップスリット５１ｂからケーブル２３を径方向に移動させることで、ケーブル２３を中央のキャップ孔５１ａに配置することが可能である。したがって、ケーブル２３が長い場合にあっても、所望の位置でケーブル２３にキャップ体５１を容易に装着できる。
【００３６】
このようにケーブル２３を保持したキャップ体５１をケーシング孔３３ｃに押し込むと、キャップ体５１の中途部がケーシング孔３３ｃに嵌合する。また、ケーブルキャップ５０の外面のスリット５２ｂからケーブル２３を径方向に移動させることで中央のプレート孔５２ａに配置することが可能である。そして、キャップ体５１の外側端面に押圧プレート５２を配し、ねじ等の締結部材によって押圧プレート５２の締結孔５２ｃを吐出ケーシング３３に締結することで、押圧プレート５２によってキャップ体５１がケーシング３０の内方に押圧される。このようにキャップ体５１がケーシング３３の内方に押圧されると、弾性材料で構成されるキャップ体５１が弾性変形し、キャップ孔５１ａが縮径してケーブル２３の外面に密着するとともにスリット５１ｂが閉塞することで、ケーブル２３の外周が液密に塞がれることになる。
【００３７】
本実施形態にかかるケーブルキャップ５０及びポンプ装置１０によれば、以下の様な効果が得られる。すなわち、ケーブル２３の外面とケーシング孔３３ｃの間を密閉可能に構成されたケーブルキャップ５０を装着することで、ケーブル２３を液密可能に装着できる。したがって、その内部に増圧された水が流れる水中軸流ポンプ装置において、内圧が高い吐出ケーシング３３の位置にケーブル２３を通す場合にあっても、効果的に液漏れを防止することができる。このため、ケーブル２３を圧力によらず任意の位置に配することができ、インペラの高さやポンプ全高の設計上の制約を少なくすることができる。すなわち、例えば圧力の低い位置にケーブル２３を通すべく水中モータを吸込みケーシングの下部に配置すると、インペラの位置が高くなることから、ポンプの運転できる水位が高くなり、設置場所が限られ、ポンプ装置の使用条件が限定される。これに対し、上記本実施形態にかかるポンプ装置１０では、内部圧力の高い吐出ケーシング３３にケーブル２３を貫通させて配置できることから、インペラ３４を収容する吸込みケーシング３３の上部に水中モータ１１を配置できるため、ポンプ装置１０の運転できる水位を低くすることができる。
【００３８】
また、キャップ体５１は外面に至るキャップスリット５１ｂが形成されていることから、ケーブル２３をキャップ体５１の外面のキャップスリット５１ｂから径方向に移動させてキャップ孔５１ａに通すことが可能である。したがって、例えばケーブル２３の配線長さが長い場合にあっても、ケーブル２３の長さ方向に沿って通す必要が無く、所望の中途部位に容易にケーブルキャップ５０を装着でき、作業性が良い。
【００３９】
さらに、キャップ体５１及びケーシング孔３３ｃは内方が小径となるテーパ状に構成されていることから、押圧プレート５２で内方に押圧することでケーシング孔３３ｃとキャップ孔５１ａを同時に封止することができる。
【００４０】
さらに本実施形態において、ケーブル２３は一端がモータ１１の給電端子１１ａに、他端は地上にある電源の端子に接続される。そして、ケーブル２３の他端の接続部はケーブル２３の径よりも小さく構成される。
【００４１】
ここで、本実施形態において、ケーシング孔３３ｃは給電端子１１ａを挿通可能な大きさに構成されている。このため、ケーブル２３の径より小さく構成され地上の電源の端子に接続される他端の接続部を、ケーシング３３に挿通することなく、モータ１１へ組付けることができる。したがって、ケーブル２３をケーシング孔３３ｃに通す作業が減るため生産性が向上する。
【００４２】
また、上記実施形態においては、ケーシング３３にケーシング孔３３ｃを形成したことで、モータ交換のメンテナンスの際にケーシングを分解する作業が減り、作業性が向上する。
［第２実施形態］
以下に、第２実施形態に係るケーブルキャップ５０Ａについて図５及び図６を参照して説明する。第２実施形態にかかるケーブルキャップ５０Ａにおいて、キャップ体５１Ａは所定の挿入方向に並ぶ複数のキャップパーツ５３，５４を有して構成される。この他は第１実施形態にかかるポンプ装置１０及びケーブルキャップ５０と同様である。本実施形態において上記第１実施形態と同一の構成については重複する説明を省略する。
【００４３】
図５に示すケーブルキャップ５０は、ケーシング孔３３ｃに装着されるキャップ体５１Ａと、キャップ体５１Ａの外側に配される押さえ部としての押圧プレート５２と、を備える。
【００４４】
キャップ体５１Ａは、挿入方向一方の第１キャップパーツ５３と、挿入方向他方側の第２キャップパーツ５４と、を備えて構成される。
【００４５】
キャップパーツ５３，５４はいずれもゴム等の弾性部材で形成され、弾性変形可能に構成されている。キャップパーツ５３，５４は別体として構成されている。キャップパーツ５３，５４はそれぞれ円錐台状に構成されている。複数のキャップパーツ５３，５４は軸方向に連続して配置され、その対向面、すなわち、キャップパーツ５３の他端面と、キャップパーツ５４の一端面とが同形状に構成されている。
【００４６】
複数のキャップパーツ５３、５４は互いに回転可能に構成されている。複数のキャップパーツ５３，５４が軸方向に隣接配置されて構成されるキャップ体５１は、ケーシング孔３３ｃへの挿入方向の先端側、すなわちポンプケーシング３０の内方側の径が小さくなるテーパ状の外周面を有している。
【００４７】
キャップパーツ５３の一端部の径はケーシング孔３３ｃの内径よりも小さく、キャップパーツ５４の他端部の径はケーシング孔３３ｃよりも大きい。
【００４８】
したがって、キャップパーツ５３，５４からなるキャップ体５１Ａはその挿入方向前方の領域側が吐出ケーシング内に配され、所定位置においてケーシング孔３３ｃに嵌合し、挿入方向後方側の領域が吐出ケーシング外に配される。
【００４９】
複数のキャップパーツ５３、５４には、電源ケーブル２３が通るキャップ孔５３ａ，５４ａがそれぞれ形成され、キャップ孔５３ａ，５４ａから外周面に至るキャップスリット５３ｂ，５４ｂが形成されている。
【００５０】
キャップ孔５３ａ，５４ａは、キャップパーツ５３，５４の中心において、挿入方向、すなわち軸方向に沿って全長に至って形成されている。キャップ孔５３ａ，５４ａが連続してキャップ孔５１ａを構成する。
【００５１】
キャップ孔５１ａはケーブル２３の外形と同等に構成されている。キャップ孔５１ａは、キャップ体５１がケーシング孔３３に押し込まれて弾性変形することで縮径し、ケーブル２３の外面に密着可能に構成されている。
【００５２】
複数のキャップパーツ５３，５４のキャップ孔５３ａ、５４ａは軸方向に連続して配される。一方、複数のキャップパーツ５３，５４のキャップスリット５３ｂ，５４ｂは異なる位置に配される。
【００５３】
キャップスリット５３ｂ，５４ｂは、キャップ孔５３ａ、５４ａから径方向に沿って外方に延び、外面に至る切り込みである。キャップスリット５３ｂ，５４ｂで構成されるキャップスリット５１ｂは軸方向全長に至って形成されている。
【００５４】
図１及び図２に示す装着状態において第１キャップパーツと第２キャップパーツは回転可能である。
【００５５】
以上の様に構成されたポンプ装置１０において、キャップパーツ５３の外面のキャップスリット５３ｂからケーブル２３を径方向に移動させることで、ケーブル２３がキャップ孔５３ａに配置される。ケーブル２３の所望の位置にキャップパーツ５３を装着できる。また、同様に、キャップパーツ５４の外面のキャップスリット５４ｂからケーブル２３を径方向に移動させて中央のキャップ孔５４ａに配置される。このとき、キャップスリット５３ｂとキャップスリット５４ｂとを、周方向において互いに異なる位置に配置させる。本実施形態においてはキャップスリット５３ｂとキャップスリット５４ｂとは１８０度ずれた位相に配置させる。
【００５６】
本実施形態においても、上記第１実施形態と同様の効果が得られる。さらに本実施形態においては、キャップ体５１を複数のパーツ５３，５４で構成し、キャップスリット５３ｂ，５４ｂの位相を異ならせ、複数のキャップパーツ５３，５４間が密封されるため、スリットからの液漏れ防止効果を高めることができる。
【００５７】
なお、本発明は上記各実施形態そのままに限定されるものではなく、実施段階ではその要旨を逸脱しない範囲で構成要素を変形して具体化できる。
【００５８】
例えば上記実施形態においては水中軸流ポンプに適用した例を示したがこれに限られるものではなく、他のタイプのポンプ装置に適用することも可能である。
【００５９】
また、上記実施形態においてはケーブルキャップ５０の中央に電源ケーブル２３を１本保持する例を示したがこれに限られるものではない。
【００６０】
他の実施形態として図７に示すケーブルキャップ５０Ｂは、第１のキャップスリットの中途部に、第１のキャップ孔５１Ｃが形成されている。この場合にあっても、上記ケーブルキャップ５０Ｂと同様の効果が得られる。さらに、本実施形態にかかるケーブルキャップ５０Ｂにおいては、第１のキャップスリット５１ａ及びプレートスリット５２ａからケーブル２３Ｂを挿入して装着できるため、第２のキャップスリット５１ｅや第２のプレートスリット５２ｅを省略した単純な構成で複数のケーブル２３を装着できる。
【００６１】
また、他の実施形態として図８に示すケーブルキャップ５０Ｃは、第１のキャップ孔５１とは反対側に、第２のキャップ孔５１ｇが形成され、第１のキャップ孔５１ａから第２のキャップ孔５１ｇに至る第２のスリット５１ｈが形成されている。この場合にあっても、上記ケーブルキャップ５０、５０Ａ，５０Ｂと同様の効果が得られる。
【００６２】
また、他の実施形態として図９，１０に示すケーブルキャップ５０Ｄは、ケーブルキャップ５０Ａと同様に、スリットの位置が異なる複数のキャップパーツ５３，５４を備えるとともに、複数のケーブルを保持可能に構成されている。この場合にあっても、上記ケーブルキャップ５０、５０Ａ，５０Ｂ、５０Ｃと同様の効果が得られる。
【００６３】
上記実施形態において、ケーブルキャップ５０、５０Ａ，５０Ｂ，５０Ｃ、５０Ｄが水中ポンプに使用される例を示したが、これに限られるものではなく、陸上に設置された軸流ポンプにも適用可能である。この場合にあっても、ケーブルキャップ５０、５０Ａ，５０Ｂ，５０Ｃ、５０Ｄを使用することにより、容易にメンテナンスが可能な陸上軸流ポンプを提供することが可能である。
【００６４】
陸上軸流ポンプは、例えばポンプ装置の吸込口に配管をフランジ接続可能に構成し、ポンプ装置の吸込口を配管にボルトで締結可能に構成することで、陸上での使用に対応することができる。例えば、陸上軸流ポンプは、排水槽の横にポンプ室を備え、当該排水槽の壁面に孔を形成し、フランジ、仕切り弁を設ける。このような構成により、ポンプ故障時に水中ポンプを引き上げることなく、ポンプのメンテナンス及び交換が可能である。
【００６５】
この他、上記実施形態に例示された各構成要素を削除してもよく、各構成要素の形状、構造、材質等を変更してもよい。上記実施形態に開示されている複数の構成要素の適宜な組み合わせにより、種々の発明を形成できる。
【符号の説明】
【００６６】
１０…ポンプ装置、１１…水中モータ（モータ）、１１ａ…給電端子、１２…ポンプ、１３…ストレーナ、２１…モータケーシング、２３…電源ケーブル（ケーブル）、２３Ｂ…第２のケーブル、３０…ポンプケーシング（ケーシング）、３１…吸込ケーシング、３２…管ケーシング、３３…吐出ケーシング、３３ａ…吐出孔、３３ｂ…吐出ケース部、３３ｃ…ケーシング孔、３４…インペラ、５０、５０Ａ、５０Ｂ…ケーブルキャップ、５１…キャップ体、５１ａ…キャップ孔、５１ａ…ケーブル孔、５１ｂ…キャップスリット、５１ｄ…第２のキャップ孔、５１ｅ…第２のキャップスリット、５２…押圧プレート（押さえ部）、５２ａ…プレート孔、５２ｂ…プレートスリット、５２ｃ…締結孔（締結部）、５２ｄ…第２のプレート孔、５２ｅ…第２のプレートスリット、５３…キャップパーツ、５３ａ…キャップ孔、５３ｂ…キャップスリット、５４…キャップパーツ、５４ａ…キャップ孔、５４ｂ…キャップスリット、５５…締結部材。
【図１】
2019027368.tif 000003
【図２】
2019027368.tif 000004
【図３】
2019027368.tif 000005
【図４】
2019027368.tif 000006
【図５】
2019027368.tif 000007
【図６】
2019027368.tif 000008
【図７】
2019027368.tif 000009
【図８】
2019027368.tif 000010
【図９】
2019027368.tif 000011
【図１０】
2019027368.tif 000012